(57)【要約】【課題】１つのコンテンツデータに基づき、オリジナルのままのコンテンツデータの記録と、ある程度内容を変更したコンテンツデータの記録とを効率よく行う技術を提供する。【解決手段】記録装置において、供給されるコンテンツデータを、実質的な変更を加えることなく第１の記録媒体２１に記録する第１の記録手段１１と、供給されるコンテンツデータに対して所定の変更を加える信号処理を施す信号処理手段１２と、前記信号処理手段による信号処理が施されたコンテンツデータを第２の記録媒体に記録する第２の記録手段とを設け、供給される同一のコンテンツデータについて、前記第１の記録手段による記録、並びに前記信号処理手段による信号処理及び第２の記録手段による記録を同時に並行して行うようにする。【選択図】図１
2009266310.tif 000002
【特許請求の範囲】
【請求項１】
供給されるコンテンツデータを、第１の記録媒体に記録する第１の記録手段と、
供給されるコンテンツデータに対して所定の変更を加える信号処理を施す信号処理手段と、
前記信号処理手段による信号処理が施されたコンテンツデータを第２の記録媒体に記録する第２の記録手段とを具備し、
供給される同一のコンテンツデータについて、前記第１の記録手段による記録を行う際に前記信号処理手段による信号処理及び第２の記録手段による記録を行うことを特徴とする記録装置。
【請求項２】
前記第１の記録手段は、供給されるコンテンツデータに対してデータを圧縮して保存し、前記第２の記録手段は、コンテンツの内容の変更を伴う処理を行ったデータを保存することを特徴とする請求項１に記載の記録装置。
【請求項３】
前記所定の変更を加える信号処理は、ボーカル成分を除去する信号処理であることを特徴とする請求項１又は２に記載の記録装置。
【請求項４】
前記所定の変更を加える信号処理は、再生時の再生速度が前記供給されるコンテンツデータと異なる信号処理であることを特徴とする請求項１又は２に記載の記録装置。
【請求項５】
供給されるコンテンツデータを、第１の記録媒体に記録する第１の記録工程と、
供給されるコンテンツデータに対して所定の変更を加える信号処理を施す信号処理工程と、
前記信号処理工程による信号処理が施されたコンテンツデータを第２の記録媒体に記録する第２の記録工程とを具備し、
供給される同一のコンテンツデータについて、前記第１の記録工程による記録を行う際に前記信号処理工程による信号処理及び第２の記録工程による記録を行うことを特徴とする記録方法。
【発明の詳細な説明】
【技術分野】
【０００１】
本発明は、コンテンツデータを記録する記録装置及び記録方法に関する。
【背景技術】
【０００２】
図２は従来の記録再生装置の構成を示すブロック図である。同図に示すように、この装置は、ＣＤから記録データを読み出し、リニアＰＣＭデータに変換して出力するＣＤメカ２５、ＣＤメカ２５からのデジタル信号に対してデータ形式の変換等の処理を施すＤＳＰ（デジタル・シグナル・プロセッサ）２６、ＤＳＰ２６からの信号を記録するための記録媒体２７を備える。
【０００３】
この装置において、記録媒体２７として複数のＳＤカードが存在する場合、ＣＤメカ２５にセットされた１枚のＣＤから該複数のＳＤカードへリッピングを行う場合には、各ＳＤカードには同一内容のデータが記録される。その際、ＣＤメカ２５はＣＤに記録されているデータを読み出し、デコードしてリニアＰＣＭデータに変換する。ＤＳＰ２６はこのデータをＭＰ３やＡＡＣ等のデータ形式の信号に変換する。変換されたデータは、リッピングデータとして、各ＳＤカードに記録される。
【０００４】
一方、ＤＳＰとして、入力される楽音信号を、ボーカル成分を減衰させることによりカラオケ状態の信号として出力するものが知られている（たとえば、特許文献１参照）。同文献の技術においては、さらに、ボーカル成分の音量を調整することができるようにしている。
【０００５】
また、発話が聞き取りやすくなるように、発話データについて、音程を変化させることなく、音声速度のみを遅くする技術が知られている（たとえば、特許文献２参照）。
【０００６】
【特許文献１】特開平０６−３４２２９５号公報
【特許文献２】特開２００６−３８９５６号公報
【発明の開示】
【発明が解決しようとする課題】
【０００７】
しかしながら、上述図２の従来技術によれば、ＣＤから読み出した信号として、ＣＤメカ２５からは１種類のデジタル信号しか出力されない。そして、その信号についてＤＳＰ２６により処理された同一の信号が各記録媒体に記録されるので、複数の記録媒体を有している場合であっても、各記録媒体に同時に記録されるのは同一内容のデータとなる。
【０００８】
また、ＣＤから読み出したデータに対してある程度の変更を加えたデータ、たとえば上述のボーカル成分を減衰させたカラオケ用のデータや、音声速度のみを遅くしたデータを記録する場合には、リッピングとは別個のタイミングにおいて、ＣＤからデータを読み出し、ＤＳＰ２６によりボーカル成分を減衰させたり、音声速度を遅くしたりする処理を行いながら記録媒体２７に記録する必要がある。したがって、同じＣＤからリッピングを行うとともに、カラオケ用等のデータの記録を行う場合には、ＣＤを２度再生する必要があるので、手間がかかる。
【０００９】
本発明の目的は、このような従来技術の問題点に鑑み、１つのコンテンツデータに基づき、オリジナルのままのコンテンツデータ記録と、ある程度内容を変更したコンテンツデータ記録とを効率よく行う技術を提供することにある。
【課題を解決するための手段】
【００１０】
この目的を達成するため、第１の発明に係る記録装置は、供給されるコンテンツデータを、第１の記録媒体に記録する第１の記録手段と、供給されるコンテンツデータに対して所定の変更を加える信号処理を施す信号処理手段と、前記信号処理手段による信号処理が施されたコンテンツデータを第２の記録媒体に記録する第２の記録手段とを具備し、供給される同一のコンテンツデータについて、前記第１の記録手段による記録を行う際に前記信号処理手段による信号処理及び第２の記録手段による記録をを行うことを特徴とする。
【００１１】
第２の発明に係る記録装置は、第１発明において、前記第１の記録手段は、供給されるコンテンツデータに対してデータを圧縮して保存し、前記第２の記録手段は、コンテンツの内容の変更を伴う処理を行ったデータを保存することを特徴とする。
【００１２】
第３の発明に係る記録装置は、第１又は第２発明において、前記所定の変更を加える信号処理は、ボーカル成分を除去する信号処理であることを特徴とする。
【００１３】
第４の発明に係る記録装置は、第１又は第２発明において、前記所定の変更を加える信号処理は、再生時の再生速度が前記供給されるコンテンツデータと異なる信号処理であることを特徴とする。
【００１４】
第５の発明に係る記録方法は、供給されるコンテンツデータを、第１の記録媒体に記録する第１の記録工程と、供給されるコンテンツデータに対して所定の変更を加える信号処理を施す信号処理工程と、前記信号処理工程による信号処理が施されたコンテンツデータを第２の記録媒体に記録する第２の記録工程とを具備し、供給される同一のコンテンツデータについて、前記第１の記録工程による記録を行う際に前記信号処理工程による信号処理及び第２の記録工程による記録をを行うことを特徴とする。
【発明の効果】
【００１５】
本発明によれば、供給される１つのコンテンツデータに基づき、実質的な変更がされていないコンテンツデータ、及び所定の変更が加えられたコンテンツデータの２つコンテンツデータを２つの媒体に記録することができる。したがって、１つのコンテンツデータに基づいて、オリジナルのままのコンテンツデータの記録と、データ内容を変更したコンテンツデータの記録とを効率よく行うことができる。
【発明を実施するための最良の形態】
【００１６】
図１は、本発明の一実施形態に係る記録再生装置の構成を示すブロック図である。同図
に示すように、この装置は、装置各部の制御や必要な情報処理を行うシステムマイコン１１、システムマイコン１１の指示に基づき、入力される信号についてエンコード、デコード等の信号処理を施すデジタル・シグナル・プロセッサ（以下、「ＤＳＰ」という。）１２、システムマイコン１１の指示に基づき、ＣＤを再生して再生信号をＤＳＰ１２に供給するＣＤメカ部１３、ＤＳＰ１２に接続された２つのメモリカードスロット１４及び１５、ＤＳＰ１２からのデジタルオーディオ信号をアナログ信号に変換するＤＡコンバータ１７、ＤＡコンバータ１７からのアナログオーディオ信号を増幅する増幅部１８、増幅部１８において増幅されたオーディオ信号をスピーカ等により音声に変換して出力する出力部１９、システムマイコン１１に対して指示を与える操作を行うための操作部２０、及びシステムマイコン１１がユーザに対して提示する情報を表示する表示部２１を備える。
【００１７】
ＣＤメカ１３はＣＤの駆動や読取りを行うための機構を備えており、ＣＤから読み出した楽曲コンテンツのデータをデコードしてリニアＰＣＭに変換し、楽曲コンテンツのデジタル音声信号を出力する。
【００１８】
システムマイコン１１は操作部２０を介して与えられる指示に応じ、ＣＤメカ部１３、ＤＳＰ１２等を制御し、ＣＤメカ部１３にセットされたＣＤ、メモリカードスロット１４又は１５にセットされたメモリカード２２又は２３等から読み出した音声信号に基づき、出力部１９から再生音を出力させることができる。また、ＣＤからリッピングする楽曲データをメモリカード２２や２３に記録することもできる。ＤＳＰ１２はその際に、ＣＤメカ部１１や、ＤＡＣ１７、メモリカードスロット１４又は１５等の間に介在し、これらの間で送受される信号についてのエンコードやデコード等の必要な信号変換処理を行う。
【００１９】
メモリカード２２及び２３には、ＭＰ３、ＷＭＡ、ＡＡＣ等の形式の楽曲コンテンツのファイルを格納することができる。メモリカード２２及び２３としては、たとえば、ＳＤカード等のフラッシュメモリを用いることができる。ＣＤからリッピングされる楽曲データは、ＭＰ３、ＷＭＡ、ＡＡＣ等の形式の楽曲ファイルに変換され、メモリカード２２又は２３に記録される。どの形式のファイルに変換するかはユーザが設定することができるようになっている。
【００２０】
ユーザは、ＣＤから読み出される同一の楽曲コンテンツについて、メモリカード２２へのリッピングを行うと同時に、並行して他方のメモリカード２３に対し、ボーカル成分を除去したり、再生速度を遅くしたりすることにより変更を加えたコンテンツを記録させることができる。つまり、ＤＳＰ１２は、ＣＤメカ部１３からの再生信号に対し、ボーカル成分を除去したり、再生速度を遅くしたりする変更を加える処理を施し、メモリカード２３に対して記録を行う機能を備える。どのような変更を加えるかはユーザが設定できるようになっている。変更を加える処理を施したコンテンツのデータは所定の形式、たとえばＭＰ３や、ＡＣＣ、ＷＭＡのような形式で、メモリカード２３に記録される。
【００２１】
この構成において、ユーザが所望のＣＤをＣＤメカ部１３にセットし、かつメモリカード２２及び２３をそれぞれメモリカードスロット１４及び１５にセットした後、操作部２０により、ＣＤからメモリカード２２へのリッピングを行うとともに、ＣＤの楽曲コンテンツについて所定の変更を加えてメモリカード２３への記録を行う旨の指示を受けると、システムマイコン１１は指示に従った処理を開始する。
【００２２】
すなわち、システムマイコン１１はＣＤメカ部１３に対し、ＣＤの再生を行い、再生信号を出力するように指示する。また、これと同時に、ＤＳＰ１２に対し、ＣＤメカ部１３からの再生信号を、指示されたＭＰ３、ＡＣＣ、又はＷＭＡのファイル形式に変換してメモリカード２２に記録するようにし、また、該再生信号について、ユーザ指示に応じてボーカル成分の除去したもの又は再生速度を遅くしたものを、メモリカード２３に記録するように指示する。
【００２３】
ＣＤメカ部１３は、システムマイコン１１からの指示に応じ、セットされているＣＤから楽曲コンテンツのデータを読み出してＰＷＭ信号に変換し、再生信号として出力する。また、ＤＳＰ１２はシステムマイコン１１からの指示に応じ、ＣＤメカ部１３からの再生信号をＭＰ３や、ＡＣＣ、又はＷＭＡのファイル形式に変換し、当該楽曲コンテンツのオリジナルとしてメモリカード２２に記録する。また、これと同時に、並行して、該再生信号に対し、ボーカル成分を除去し、又は再生速度を遅くする処理を行い、得られる信号をＭＰ３、ＡＣＣ、又はＷＭＡの形式に変換して、メモリカード２３に記録する。
【００２４】
ボーカル成分を除去する処理は、たとえば、ボーカル成分はステレオ信号の各チャンネルにおいて同じ波形で存在することを利用し、各チャンネルの信号から他方のチャンネルの信号を減算することによって行うことができる。このような技術はボーカルキャンセラやボーカルリデューサとして周知のものである。
【００２５】
再生速度を遅くする処理は、たとえば、再生速度に応じ、所定の単位でデータを重複させることによって、データを時間軸方向に膨張させることにより行うことができる。その際に、自己相関法によりピッチ周期を検出し、ピッチ周期に従って音声データの挿入を行うことによりピッチを維持したまま、話速のみを変更することができる。このような技術
は周知である。
【００２６】
このようにしてメモリカード２２には、データ形式の変換は行われているが、実質的な変更は加えられていないデータ、すなわち楽曲コンテンツのオリジナルのままのデータが記録される。一方、メモリカード２３には、ボーカル成分が除去されたカラオケ用のデータ、又は再生速度を遅くする処理がなされたデータが記録される。ユーザは、メモリカード２２に記録されたコンテンツデータに基づき、当該楽曲コンテンツを所望のときに再生し、享受することができる。また、メモリカード２３に記録されたボーカル成分を除去したコンテンツデータに基づき、カラオケを楽しむことができる。あるいはメモリカード２３に記録された再生速度を遅くする処理が施されたコンテンツデータに基づき、当該楽曲についての採譜を容易に行うことができる。
【００２７】
本実施形態によれば、ＣＤに記録されている楽曲コンテンツのデータを、実質的には変更が加えられていないオリジナルのままのデータとしてメモリカード２２に記録すると同時に、これと並行して、ＤＳＰ１２により所定の変更処理を施してメモリカード２３に記録することができる。したがって、オリジナルのままのコンテンツデータ、並びにボーカル成分を減衰させたカラオケ用のコンテンツデータや再生速度を遅くする処理をしたコンテンツデータを効率的に記録することができる。
【００２８】
なお、本発明は上述実施形態に限定されることなく、適宜変形して実施することができる。たとえば、上述においては、記録を行うための記憶媒体としてメモリカード２２及び２３の２つを用いる場合について説明したが、これに限らず、３つ以上の記録媒体を用いるようにしてもよい。その場合、いずれか１つにはオリジナルのままのデータを記録すると同時に、他の各記録媒体には、カラオケ用のコンテンツや、再生速度を遅くする処理を施したコンテンツデータをそれぞれ一度に記録することができる。
【００２９】
また、上述においては、ＣＤメカ部１３のＣＤに記録されたコンテンツのデータに基づいて記録を行うようにしているが、この代わりに、ＭＤドライブやハードディスクドライブ、放送受信機等を設け、ＭＤやハードディスクに記録されたコンテンツや、放送コンテンツのデータに基づいて記録を行うようにしてもよい。
【００３０】
また、コンテンツの記録をメモリカードに対しデジタルで行うようにしているが、この代わりに、カセットテープ等に対しアナログで行うようにしてもよい。
【００３１】
また、上述においては、ボーカル成分を除去する処理等を施すためにＤＳＰ１２を用いているが、この代わりに、このような処理をソフトウェア及びＣＰＵによって行うようにしてもよい。
【００３２】
また、上述においては楽曲コンテンツの記録を行う場合について説明したが、本発明はこれ限らず、英会話等のコンテンツの記録を行う場合にも適用することができる。その場合には、コンテンツのオリジナルとともに、話速を遅くして聞き取りやすくした練習用のコンテンツを同時に記録することができる。
【００３３】
また、上述においては、コンテンツデータを記録する記録媒体としてメモリカード２２及び２３を用いているが、この代わりに、たとえばＵＳＢメモリや、ＣＤ−Ｒ、ハードディスク等の記録媒体を用いるようにしてもよい。それぞれの媒体に対し、それぞれのインタフェースを介して記録が行われる。
【図面の簡単な説明】
【００３４】
【図１】本発明の一実施形態に係る記録再生装置の構成を示すブロック図である。
【図２】従来例に係る記録再生装置の構成を示すブロック図である。
【符号の説明】
【００３５】
１１：システムマイコン、１２，２６：ＤＳＰ、１３：ＣＤメカ部、１４，１５：メモリカードスロット、１７：ＤＡコンバータ、１８：増幅部、１９：出力部、２０：操作部、２１：表示部、２２，２３：メモリカード、２５：ＣＤメカ、２７：記録媒体。
【図１】
2009266310.tif 000003
【図２】
2009266310.tif 000004